(57)【要約】【課題】専用部品を使用することなくバッテリの電圧値を容易に確認できる火災受信機を提供する。【解決手段】制御部１６は、本受信機に配置された各地区灯４０ａ，４０ｂ〜４９ａ，４９ｂに対応してバッテリ５７の段階的な電圧値（ＤＣ２６Ｖ〜ＤＣ１７Ｖ）が設定されており、予備電源試験スイッチ７がオン操作されたときに、バッテリ５７に切り替えてその電圧値を予備電源電圧検出回路５５を通して読み取り、この読み取った電圧値を上限としてそれ以下の電圧値と対応付けられた地区灯を選択し、そして、選択した地区灯をバッテリ５７の電圧の正常範囲と異常範囲とに分けて識別可能にバーグラフ状に表示する。【選択図】図４
2007257590.tif 000002
【特許請求の範囲】
【請求項１】
通常時は商用電源からの電圧を受けて動作し、商用電源の停電時には予備電源からの電圧を受けて動作するものであって、盤面に各種状態を表示するための複数の表示灯が縦列あるいは横列に配置された火災報知設備用機器において、
予備電源試験スイッチと、
該予備電源試験スイッチが操作されたときに、動作電源を予備電源に切り替えてその電圧値を読み取る試験電圧読取手段と、
予め前記複数の表示灯に対応して予備電源の段階的な電圧値が設定され、前記試験電圧読取手段により読み取られた電圧値を上限としてそれ以下の電圧値が設定された表示灯を選択する表示灯選択手段と、
前記表示灯選択手段により選択された表示灯を点灯又は点滅させる試験電圧表示手段とを備えたことを特徴とする火災報知設備用機器。
【請求項２】
前記複数の表示灯は、発光色の異なる２つを一組として盤面に縦列あるいは横列に配置されており、
前記試験電圧表示手段は、前記表示灯選択手段により選択された表示灯を表示する際、予備電源の電圧の正常範囲と異常範囲とが識別可能になるように、発光色を異ならせていることを特徴とする請求項１記載の火災報知設備用機器。
【請求項３】
前記複数の表示灯の近傍に、前記表示灯選択手段に設定されている予備電源の段階的な電圧値を記載したことを特徴とする請求項１又は２記載の火災報知設備用機器。
【請求項４】
前記試験電圧表示手段は、前記表示灯選択手段により選択された表示灯のうち、予備電源の電圧の正常範囲にある表示灯を点滅又は点灯させ、予備電源の電圧の異常範囲にある表示灯を点灯又は点滅させることを特徴とする請求項１乃至３の何れかに記載の火災報知設備用機器。
【請求項５】
前記試験電圧表示手段は、前記表示灯選択手段により選択された表示灯の先頭が予備電源の電圧の正常範囲にあるとき、前記表示灯選択手段により選択された表示灯を点灯又は点滅させ、前記表示灯の先頭が予備電源の電圧の異常範囲にあるときは、前記表示灯選択手段により選択された表示灯を点滅又は点灯させることを特徴とする請求項１乃至３の何れかに記載の火災報知設備用機器。
【発明の詳細な説明】
【技術分野】
【０００１】
本発明は、予備電源の試験に係わり、さらに詳しくは、予備電源の電圧値を地区表示灯等を用いて表示する火災報知設備用機器に関するものである。
【背景技術】
【０００２】
商用電源から電源供給を受けて動作する火災受信機には、商用電源の停電時に電源供給するためのバックアップ用のバッテリ（予備電源）が設けられている。このバッテリは、長時間使用している間に劣化等により充電容量が不足した異常状態となる虞があった。
従来、この課題を解決するために、定期的にまた必要に応じて予備電源の試験ができるようにしたものがあった。例えば、火災受信機に予備電源試験スイッチが設けられ、このスイッチを押圧操作したときに、予備電源からの電圧値を判定し、その結果を予備電源試験結果灯で表示している（例えば、特許文献１参照）。
【特許文献１】特許第３２０２８９２号公報（第５頁、図１）
【発明の開示】
【発明が解決しようとする課題】
【０００３】
前述した従来の予備電源試験では、検出した電圧値に応じて、正常、異常、バッテリの残量不足等を判定し、その結果を予備電源試験結果灯で点灯、消灯、点滅させることで知らせることができるが、実際にどの位の電圧値であるかが確認することはできなかった。
また、専用の７セグメントＬＥＤ等を使用して、予備電源の電圧値を確認できるものもあるが、専用部品が必要となり、また、電圧値が表示されるだけで、正常や異常の程度がわからなかった。正常であっても異常に近い状態もあり、このような場合には、バッテリの交換時期の対応などに遅れがあると不具合が生じる可能性があった。
【０００４】
本発明は、前述のような課題を解決するためになされたもので、専用部品を使用することなく予備電源の電圧値を容易に確認できる火災報知設備用機器を提供することを目的とする。
【課題を解決するための手段】
【０００５】
本発明に係る火災報知設備用機器は、通常時は商用電源からの電圧を受けて動作し、商用電源の停電時には予備電源からの電圧を受けて動作するものであって、盤面に各種状態を表示するための複数の表示灯が縦列あるいは横列に配置された火災報知設備用機器において、予備電源試験スイッチと、予備電源試験スイッチが操作されたときに、動作電源を予備電源に切り替えてその電圧値を読み取る試験電圧読取手段と、予め複数の表示灯に対応して予備電源の段階的な電圧値が設定され、試験電圧読取手段により読み取られた電圧値を上限としてそれ以下の電圧値が設定された表示灯を選択する表示灯選択手段と、表示灯選択手段により選択された表示灯を点灯又は点滅させる試験電圧表示手段とを備えたものである。
【０００６】
また、複数の表示灯は、発光色の異なる２つを一組として盤面に縦列あるいは横列に配置されており、試験電圧表示手段は、表示灯選択手段により選択された表示灯を表示する際、予備電源の電圧の正常範囲と異常範囲とが識別可能になるように、発光色を異ならせている。
【０００７】
また、複数の表示灯の近傍に、表示灯選択手段に設定された予備電源の段階的な電圧値を記載している。
【０００８】
また、試験電圧表示手段は、表示灯選択手段により選択された表示灯のうち、予備電源の電圧の正常範囲にある表示灯を点滅又は点灯させ、予備電源の電圧の異常範囲にある表示灯を点灯又は点滅させるようにしている。
【０００９】
さらに、試験電圧表示手段は、表示灯選択手段により選択された表示灯の先頭が予備電源の電圧の正常範囲にあるとき、表示灯選択手段により選択された表示灯を点灯又は点滅させ、表示灯の先頭が予備電源の電圧の異常範囲にあるときは、表示灯選択手段により選択された表示灯を点滅又は点灯させるようにしている。
【発明の効果】
【００１０】
本発明おいては、盤面に配置された複数の表示灯に対応して予備電源の段階的な電圧値が設定され、予備電源試験スイッチが操作されたときに、動作電源を予備電源に切り替えてその電圧値を読み取り、そして、この読み取った電圧値を上限としてそれ以下の電圧値が設定された表示灯を選択し、この選択した表示灯を点灯又は点滅させるようにしたので、専用部品を使用することなく予備電源の電圧を直感的に確認でき、このため、予備電源の交換時期の対応が遅れるということがなくなった。
【００１１】
また、発光色の異なる２つを一組とする複数の表示灯が盤面に縦列あるいは横列に配置されたものにおいて、予備電源の電圧値から選択した表示灯を表示する際、予備電源の電圧の正常範囲と異常範囲とが識別可能になるように、発光色を異ならせているので、専用部品を使用することなく予備電源の電圧の状態を容易に確認でき、このため、予備電源の交換時期の対応が遅れるということがなくなった。
【００１２】
また、複数の表示灯の近傍に予備電源の段階的な電圧値を記載しているので、専用部品を使用することなく予備電源の電圧値がより正確にわかり、このため、予備電源の交換時期の対応が遅れるということがなくなった。
【００１３】
また、予備電源の電圧値から選択した表示灯のうち、予備電源の電圧の正常範囲にある表示灯を点滅又は点灯させ、予備電源の電圧の異常範囲にある表示灯を点灯又は点滅させるようにし、これに加えて複数の表示灯の近傍に予備電源の段階的な電圧値を記載しているので、表示灯の表示状態から予備電源の電圧状態を直感的に確認できる上に、各表示灯に記載されている電圧値から正確な予備電源の電圧値がわかり、このため、予備電源の交換時期の対応が遅れるということがなくなった。
【００１４】
さらに、予備電源の電圧値から選択した表示灯の先頭が予備電源の電圧の正常範囲にあるとき、予備電源の電圧値から選択した表示灯を点灯又は点滅させ、表示灯の先頭が予備電源の電圧の異常範囲にあるときは、予備電源の電圧値から選択した表示灯を点滅又は点灯させるようにし、これに加えて複数の表示灯の近傍に予備電源の段階的な電圧値を記載しているので、予備電源の電圧が正常か否かが容易にわかる上に、正確な電圧値が確認でき、このため、予備電源の交換時期の対応が遅れるということがなくなった。
【発明を実施するための最良の形態】
【００１５】
図１は本発明の実施の形態を示す火災受信機の盤面図、図２は火災受信機の表示操作部の詳細を示す図である。
火災報知設備用機器の一例としての火災受信機は、図１に示すように、扉２の前面に表示操作部３が設けられており、通常時は商用電源からの電圧供給を受けて動作し、商用電源の停電時には、筐体１内に設けられた予備電源に切り替えてその電圧で動作するように構成されている。予備電源は、例えば公称電圧ＤＣ２４Ｖで、試験時における電圧値が例えばＤＣ２１Ｖ以上を正常とし、ＤＣ２１Ｖ未満を異常として交換を促すようにしている。前記の表示操作部３は、図２に示すように、各種状態を表示するための複数の表示灯、例えば、警戒区域を示す地区窓８に対応して配置された複数の地区灯４、火災発生時に点灯する表示灯５ａ、交流電源、スイッチ注意、発信機等の状態を表示する複数の表示灯５ｂや、各種操作入力を行うための複数の操作スイッチ６、予備電源試験スイッチ７などが配置されてなっている。
【００１６】
本実施の形態においては、予備電源試験時に予備電源の電圧値をバーグラフ状に表示する複数の表示灯として、前述した地区灯４を利用している。この地区灯４は、発光色の異なる２つの火災地区灯４０ａ〜４９ａおよび防排煙地区灯４０ｂ〜４９ｂをそれぞれ一組として、地区窓８に対応して縦列に配置されたものである。火災地区灯４０ａ〜４９ａは赤色、防排煙地区灯４０ｂ〜４９ｂは緑色を発光するＬＥＤが使用されている。これら地区灯４０ａ，４０ｂ〜４９ａ，４９ｂの近傍には、予備電源試験時に発光すべき予備電源の段階的な電圧値がそれぞれ記載されている。地区灯４０ａ，４０ｂの近傍にはＤＣ２６Ｖが、地区灯４９ａ，４９ｂの近傍にはＤＣ１７Ｖが記載され、このＤＣ１７Ｖを最小値として下から上に行くに従って電圧値が１Ｖずつ高くなる電圧値が記載されている。これは、前述したように予備電源の電圧値をバーグラフ状に表示するためである。また、ＤＣ２６Ｖ〜ＤＣ２１Ｖの正常範囲では、防排煙地区灯４０ｂ〜４５ｂが点灯（緑色）、ＤＣ２０Ｖ〜ＤＣ１７Ｖの異常範囲では、火災地区灯４６ａ〜４９ａが点灯（赤色）するようにしている。これは、正常範囲と異常範囲とが発光色で容易にわかるようにするためである。
【００１７】
次に、火災受信機の概略構成および電源回路の構成について図３および図４を用いて説明する。図３は火災受信機の概略構成を示すブロック回路図、図４は火災受信機の電源回路の詳細を示すブロック回路図である。
前述した火災受信機は、感知器回線２１−１〜２１−ｎに対応して設けられた火災検出回路１１−１〜１１−ｎと、ベル回線２２−１〜２２−ｎに対応して設けられた地区音響回路１２−１〜１２−ｎと、防火戸などの被制御機器２３−１〜２３−ｎに対応して設けられた制御回路１３−１〜１３−ｎと、主音響部１４と、電源回路１５と、表示操作部３と、例えばＭＰＵからなる制御部１６とを有している。
【００１８】
制御部１６は、例えばＭＰＵからなり、火災検出回路１１−１〜１１−ｎの何れかより火災検出信号を受けて火災と判断すると、火災を感知した感知器の区域を示す火災地区灯（４０ａ〜４９ａの何れか）を点灯すると共に、主音響部１４を駆動して火災警報を出す。また、火災発生区域の地区ベルを鳴動させるために、該当する地区音響回路（１２−１〜１２−ｎの何れか）を駆動する。さらに、火災検出回路１１−１〜１１−ｎに対応して予め設定された制御回路１３−１〜１３−ｎを制御して、被制御機器２３−１〜２３−ｎを作動させ、作動させた区域を示す防排煙地区灯（４０ｂ〜４９ｂの何れか）を点灯する。主音響部１４による警報音は、表示操作部３に設けられた複数の操作スイッチ６のうち停止スイッチが押圧されたときに停止し、地区ベルの鳴動は、一時停止スイッチが押圧されたときに一時的に停止する。
【００１９】
また、制御部１６は、予備電源試験スイッチ７がオン操作されたときに、動作電源を予備電源に切り替えてその電圧値を予備電源電圧検出回路５５を通して読み取る試験電圧読取手段と、各地区灯４０ａ，４０ｂ〜４９ａ，４９ｂに対応して予備電源の段階的な電圧値（ＤＣ２６Ｖ〜ＤＣ１７Ｖ）が設定され、試験電圧読取手段により読み取られた電圧値を上限としてそれ以下の電圧値と対応付けられた地区灯を選択する表示灯選択手段と、表示灯選択手段により選択された地区灯を予備電源の電圧の正常範囲と異常範囲とに分けて識別可能にバーグラフ状に表示する試験電圧表示手段とを有している。
【００２０】
電源回路１５は、図４に示すように、商用電源のＡＣ１００Ｖをトランス５０にてＡＣ２４Ｖまで降圧し、これを整流平滑回路５１によりＤＣ２４Ｖに変換する。このＤＣ２４Ｖは、充電回路５２によって予備電源であるバッテリ５７に充電され、また、２４Ｖ定電圧回路５３により本受信機内の各回路の電源として使用される。停電検出回路５４は、ＤＣ２４Ｖが予め設定された下限値まで低下したときに停電検出信号を制御部１６に出力する。予備電源電圧検出回路５５は、予備電源試験時にバッテリ５７の電圧を検出して制御部１６に出力する。切替リレー接点Ａは通常ａ側に接続され、切替リレー接点Ｂはｂ側に接続されており、制御部１６からの切替信号により、切替リレー接点Ａはｂ側に切り替わり、切替リレー接点Ｂはａ側に切り替わる。抵抗５６は、バッテリ５７の放電用のダミー抵抗である。
【００２１】
前記のように構成された火災受信機において、図５に示すフローチャートを用いて予備電源試験時の制御部の動作について説明する。
制御部１６は、本受信機の表示操作部３に設けられた予備電源試験スイッチ７の押圧操作によるオン状態を検知すると（Ｓ１）、まず、切替リレー（図示せず）に切替信号を出力して、切替リレー接点Ａをｂ側に切り替えると共に、切替リレー接点Ｂをａ側に切り替える（Ｓ２）。次いで、タイマ（図示せず）をスタートし（Ｓ３）、予備電源電圧検出回路５５を通してバッテリ５７の電圧値を読み取る（Ｓ４）。そして、この電圧値を上限としてそれ以下の電圧値と対応付けられた地区灯を選択する（Ｓ５）。
【００２２】
例えば、バッテリ５７の電圧値がＤＣ２５Ｖの場合は、その電圧値に対応付けられた防排煙地区灯４１ｂを上限としてそれ以下の電圧値と対応付けられた防排煙地区灯４２ｂ，４３ｂ，４４ｂ，４５ｂと火災地区灯４６ａ〜４９ａとを選択し、また、バッテリ５７の電圧値がＤＣ２０Ｖの場合は、その電圧値に対応付けられた火災地区灯４６ａを上限としてそれ以下の電圧値と対応付けられた火災地区灯４７ａ，４８ａ，４９ａを選択する。
【００２３】
その後は、選択した各地区灯を用いてバーグラフ状に点灯表示する（Ｓ６）。前記のように、バッテリ５７の電圧値がＤＣ２５Ｖの場合、５つの防排煙地区灯４１ｂ〜４５ｂが緑色に点灯し、４つの火災地区灯４６ａ〜４９ａが赤色に点灯する。また、バッテリ５７の電圧値がＤＣ２０Ｖの場合は、赤色のみの火災地区灯４６ａ〜４９ａが点灯する。
【００２４】
この時、制御部１６は、バッテリ５７の電圧値が異常値かどうかを判定し（Ｓ７）、その電圧値がＤＣ２０Ｖを超えていた場合は正常範囲と判断して、タイムアップしたかどうかを判定する（Ｓ８）。例えばタイマをスタートしてから１分を経過していないときはＳ４に戻って同じ動作を繰り返し、その時間を経過したときは、切替リレー（図示せず）に復帰信号を出力して、切替リレー接点Ａをａ側に切り替えると共に、切替リレー接点Ｂをｂ側に切り替える（Ｓ９）。そして、タイムアップしたタイマをクリアにし（Ｓ１０）、Ｓ１に戻る。この場合は、図５には図示していないが、予備電源試験スイッチ７が再びオン操作されるまで受信機としての監視に入る。また、Ｓ７において、バッテリ５７の電圧値がＤＣ２０Ｖ以下と判断したときは、主音響部１４を駆動し（Ｓ１１）、バッテリ５７の異常を知らせる。そして、前述したように、予備電源の試験終了制御を行い（Ｓ９）、次いで、タイマをクリアにし（Ｓ１０）、Ｓ１に戻る。なお、主音響部１４の駆動による異常音響は、表示操作部３に設けられた複数の操作スイッチ６のうち停止スイッチがオン操作されたときに停止する。
【００２５】
以上のように本実施の形態によれば、予備電源試験時に電圧値を付した地区灯４を用いてバッテリ５７の電圧値をバーグラフ状に点灯表示するようにしたので、専用部品を使用せずにバッテリ５７の電圧値が容易に、しかも、電圧がどの程度残っているのかがわかる。また、電圧値の正常範囲と異常範囲とを地区灯４の発光色で区別しているので、直感的にバッテリ５７の残量状態がわかり、このため、正常範囲であっても異常に近い状態かどうかがわかり、バッテリ５７の交換時期の対応に遅れが生じるということがなくなった。
【００２６】
なお、前記の実施の形態では、ＤＣ２１Ｖ以上を正常範囲として防排煙地区灯４０ｂ〜４５ｂを使用し、ＤＣ２０Ｖ以下を異常範囲として火災地区灯４６ａ〜４９ａを使用したが、正常範囲と異常範囲に使用している地区灯を逆にしてもよい。また、バッテリ５７の電圧値以下の地区灯全てを点灯するようにしたが、その地区灯を点滅させるようにしてもよい。また、バッテリ５７の電圧値を表示する際、正常範囲用として使用している防排煙地区灯４０ｂ〜４５ｂを点灯するようにし、異常範囲用として使用している火災地区灯４６ａ〜４９ａを点滅するようにしてもよいし、また、その逆であってもよい。
【００２７】
また、前記の実施の形態では、前述したように防排煙地区灯４０ｂ〜４５ｂと火災地区灯４６ａ〜４９ａとを使用したことを述べたが、防排煙地区灯のみ、あるいは火災地区灯のみを使用して、バッテリ５７の電圧値をバーグラフ状に表示するようにしてもよい。また、この場合おいて、バッテリ５７の電圧値が正常範囲にあるときは、その電圧値までの全ての地区灯を点灯し、バッテリ５７の電圧値が異常範囲にあるときは、その電圧値までの全ての地区灯を点滅するようにして、正常と異常の区別が直感的にわかるようにしてもよい。
さらに、バッテリ５７の電圧値以下の地区灯全てを点灯するようにしたが、電圧値に対応する地区灯のみを点滅させるようにして、正常と異常の区別が直感的にわかるようにしてもよい。
【図面の簡単な説明】
【００２８】
【図１】本発明の実施の形態を示す火災受信機の盤面図である。
【図２】火災受信機の表示操作部の詳細を示す図である。
【図３】火災受信機の構成を示すブロック回路図である。
【図４】火災受信機の電源回路の詳細を示すブロック回路図である。
【図５】火災受信機における予備電源試験時の制御部の動作を示すフローチャートである。
【符号の説明】
【００２９】
１  火災受信機の筐体、２  扉、３  表示操作部、４  地区灯、４０ａ〜４９ａ  火災地区灯、４０ｂ〜４９ｂ  防排煙地区灯、７  予備電源試験スイッチ、１５  電源回路、１６  制御部、Ａ，Ｂ  切替リレー接点、５７  バッテリ。
【図１】
2007257590.tif 000003
【図２】
2007257590.tif 000004
【図３】
2007257590.tif 000005
【図４】
2007257590.tif 000006
【図５】
2007257590.tif 000007